(57)【要約】【課題】木造建築物にも適用でき、小さな面積でも設置可能であり、錘等を必要としない木造建築物に用いる制振構造物を提供すること。【解決手段】木造建築物の内部に剛性体１を設け、剛性体１の頂部は木造構造物の頂部に支持されると共に、剛性体１の底部は可動支承２を介して基礎４の上面に支持され、また、剛性体１の底部の側部と基礎４の側部との間にはダンパー３が配設されている。剛性体１は、木造構造物の固有揺動周期とは異なる固有揺動周期を有し、ダンパー３により、剛性体１が地震により揺動した際に、剛性体１が木造構造物と衝突するのを防止すると共に、剛性体１の揺動を減衰させる。剛性体１の内部は収容空間となっており、複数の補強板１０により仕切られており、収容庫として利用できるように剛性体１には扉が設けられている。【選択図】図１
2006177150.tif 000002
【特許請求の範囲】
【請求項１】
基礎と、当該基礎の上部に設けられた複数階の木造構造物とを有する木造建築物に用いる制振構造物であって、
内部を収容空間とするために箱体として構成されると共に、頂部と底部とを有する剛性体と、
前記剛性体の前記底部の側部と、前記基礎の側部との間に配設されているダンパーと、
前記剛性体の前記底部の底面に配設されている可動支承とを有し、
前記剛性体は、前記木造建築物の複数階を貫通して配設されると共に、前記木造建築物に対して揺動可能となるように、前記剛性体の前記頂部において前記木造構造物の頂部に支持され、
前記剛性体の底部は、前記基礎の上面に前記可動支承を介して揺動可能に支持されており、
前記ダンパーは、前記剛性体が地震により揺動した際に、前記剛性体が木造構造物と衝突するのを防止すると共に、前記剛性体の揺動を減衰させることを特徴とする木造建築物に用いる制振構造物。
【請求項２】
前記剛性体は、正方形の水平断面形状を有すると共に、前記木造建築物の前記基礎から前記木造建築物の屋根まで延びる壁で囲まれた正方形の水平断面形状を有する空間内に設置されている請求項１記載の木造建築物に用いる制振構造物。
【請求項３】
前記剛性体には、前記剛性体の前記頂部を支点として全方向に揺動可能となるように、前記剛性体の前記頂部の中心位置に鋳鉄製の球座を有するジョイント部が設けられている請求項１記載の木造建築物に用いる制振構造物。
【請求項４】
前記剛性体は、前記収容空間内に複数の収納スペースを形成するために、前記剛性体の内部において間隔を隔てて水平に配設されている１以上の補強板を有すると共に、扉を有し、収容庫として利用可能である請求項１記載の木造建築物に用いる制振構造物。
【請求項５】
前記剛性体は、前記収容空間内に回転式の複数の収納ラックを有し、前記複数階の各階において前記収納ラックのそれぞれから被収容物を取り出すことができるように、前記複数の収容ラックはチェーン駆動により上下方向に移動するように支持されている請求項１記載の木造建築物に用いる制振構造物。
【請求項６】
基礎と、当該基礎の上部に設けられた複数階の木造構造物とを有する木造建築物に用いる制振構造物であって、
内部を収容空間とするために箱体として構成されると共に、頂部と底部とを有する剛性体と、
前記剛性体の前記底部の側部と、前記基礎の側部との間に配設されているダンパーと、
前記剛性体の前記底部の底面に配設されている可動支承とを有し、
前記剛性体は、前記木造建築物の複数階を貫通して配設されると共に、前記木造建築物に対して揺動可能となるように、前記剛性体の前記頂部において前記木造構造物の頂部に支持されると共に、最上階の床にも固定され、
前記剛性体の底部は、前記基礎の上面に前記可動支承を介して揺動可能に支持されており、
前記ダンパーは、前記剛性体が地震により揺動した際に、前記剛性体が木造構造物と衝突するのを防止すると共に、前記剛性体の揺動を減衰させることを特徴とする木造建築物に用いる制振構造物。
【請求項７】
基礎と、当該基礎の上部に設けられた複数階の木造構造物とを有する木造建築物に用いる制振構造物であって、
内部を収容空間とするために箱体として構成され、頂部と底部とを有すると共に、前記複数階毎に設けられた複数の剛性体と、
前記複数の剛性体は、正方形の水平断面形状を有すると共に、前記木造建築物の前記基礎から前記木造建築物の屋根まで延びる壁で囲まれた正方形の水平断面形状を有する空間内に設置されており、
前記各剛性体の前記底部の側部と、前記各剛性体が設けられている各階の床側の前記壁面との間に配設されているダンパーと、
前記各剛性体の前記底部の底面に配設されている可動支承とを有し、
前記複数の剛性体は、前記木造建築物に対して揺動可能となるように、前記剛性体のそれぞれの前記頂部において前記各剛性体が設けられている上階の床に支持され、
前記剛性体のそれぞれの底部は、前記各剛性体が設けられている各階の床面に前記可動支承を介して揺動可能に支持されており、
前記ダンパーは、前記剛性体が地震により揺動した際に、前記剛性体が木造構造物と衝突するのを防止すると共に、前記剛性体の揺動を減衰させることを特徴とする木造建築物に用いる制振構造物。
【発明の詳細な説明】
【技術分野】
【０００１】  本発明は、木造建築物に用いる制振構造物に関する。
【背景技術】
【０００２】  建築物の耐震性を向上させるために免震装置を設置し、建築物の固有振動周期を長周期化して建物に作用する地震力を低減させることがおこなわれている。また、動的に地震による建築物の揺動や振動を抑制するものとしては、建築物の揺動方向を検知し、揺動方向と逆の力を建物に与え、地震による影響を減少させる制振装置が提案されている。
【発明の開示】
【発明が解決しようとする課題】
【０００３】  上記の制振装置は、一般に鉄筋又は鉄骨コンクリート造りの建築物や、鉄骨構造の建築物に用いられる。これは、地震により揺動する非常に重い錘等の応力を受け止めるため建築物自体にある程度の剛性を必要とするためである。従って、建築物自体の高い剛性を確保できない在来の軸組構造やツーバイフォー工法等による木造建築物へ、上記のような制振装置を適用することは困難であるという問題がある。【０００４】  また、建築物に制振装置を設置すると、制振装置がかなりの空間を占有し、居住空間を狭めてしまうという問題がある。【０００５】  さらに、上記の制振装置では、当該装置を構成する錘等の垂直加重が建築物自体に加わるため、建築物の構造を強化しなければならない。しかし、木造建築物において、そのような構造の強化を行うことは建築コストの上昇を招くという問題がある。【０００６】  本発明は、上記問題点に鑑み、木造建築物にも適用でき、小さな面積でも設置可能であり、重い錘等を必要としない木造建築物に用いる制振構造物を提供することを目的とする。
【課題を解決するための手段】
【０００７】  本発明に係る木造建築物に用いる制振構造物は、基礎と、当該基礎の上部に設けられた複数階の木造構造物とを有する木造建築物に用いる制振構造物であって、内部を収容空間とするために箱体として構成されると共に、頂部と底部とを有する剛性体と、前記剛性体の前記底部の側部と、前記基礎の側部との間に配設されているダンパーと、前記剛性体の前記底部の底面に配設されている可動支承とを有し、前記剛性体は、前記木造建築物の複数階を貫通して配設されると共に、前記木造建築物に対して揺動可能となるように、前記剛性体の前記頂部において前記木造構造物の頂部に支持され、前記剛性体の底部は、前記基礎の上面に前記可動支承により揺動可能に支持されており、前記ダンパーは、前記剛性体が地震により揺動した際に、前記剛性体が木造構造物と衝突するのを防止すると共に、前記剛性体の揺動を減衰させることを特徴とする。【０００８】  さらに、本発明に係る木造建築物に用いる制振構造物は、前記剛性体が、正方形の水平断面形状を有すると共に、前記木造建築物の前記基礎から前記木造建築物の屋根まで延びる壁で囲まれた正方形の水平断面形状を有する空間内に設置されていることが好ましい。【０００９】  さらに、本発明に係る木造建築物に用いる制振構造物は、前記剛性体には、前記剛性体の前記頂部を支点として全方向に揺動可能となるように、前記剛性体の前記頂部の中心位置に鋳鉄製の球座を有するジョイント部が設けられていることが好ましい。【００１０】  さらに、本発明に係る木造建築物に用いる制振構造物は、前記剛性体が、前記収容空間内に複数の収納スペースを形成するために、前記剛性体の内部において間隔を隔てて水平に配設されている１以上の補強板を有すると共に、扉を有し、収容庫として利用可能であることが好ましい。【００１１】  さらに、本発明に係る木造建築物に用いる制振構造物は、前記剛性体が、前記収容空間内に回転式の複数の収納ラックを有し、前記複数階の各階において前記収納ラックのそれぞれから被収容物を取り出すことができるように、前記複数の収容ラックはチェーン駆動により上下方向に移動するように支持されていることが好ましい。【００１２】  さらに、本発明に係る木造建築物に用いる制振構造物は、基礎と、当該基礎の上部に設けられた複数階の木造構造物とを有する木造建築物に用いる制振構造物であって、内部を収容空間とするために箱体として構成されると共に、頂部と底部とを有する剛性体と、前記剛性体の前記底部の側部と、前記基礎の側部との間に配設されているダンパーと、前記剛性体の前記底部の底面に配設されている可動支承とを有し、前記剛性体は、前記木造建築物の複数階を貫通して配設されると共に、前記木造建築物に対して揺動可能となるように、前記剛性体の前記頂部において前記木造構造物の最上階の床に支持され、前記剛性体の底部は、前記基礎の上面に前記可動支承を介して揺動可能に支持されており、前記ダンパーは、前記剛性体が地震により揺動した際に、前記剛性体が木造構造物と衝突するのを防止すると共に、前記剛性体の揺動を減衰させることを特徴とする。【００１３】  さらに、本発明に係る木造建築物に用いる制振構造物は、基礎と、当該基礎の上部���設けられた複数階の木造構造物とを有する木造建築物に用いる制振構造物であって、内部を収容空間とするために箱体として構成され、頂部と底部とを有すると共に、前記複数階毎に設けられた複数の剛性体と、前記複数の剛性体は、正方形の水平断面形状を有すると共に、前記木造建築物の前記基礎から前記木造建築物の屋根まで延びる壁で囲まれた正方形の水平断面形状を有する空間内に設置されており、前記各剛性体の前記底部の側部と、前記各剛性体が設けられている各階の床側の前記壁面との間に配設されているダンパーと、前記各剛性体の前記底部の底面に配設されている可動支承とを有し、前記複数の剛性体は、前記木造建築物に対して揺動可能となるように、前記剛性体のそれぞれの前記頂部において前記各剛性体が設けられている上階の床に支持され、前記剛性体のそれぞれの底部は、前記各剛性体が設けられている各階の床面に前記可動支承を介して揺動可能に支持されており、前記ダンパーは、前記剛性体が地震により揺動した際に、前記剛性体が木造構造物と衝突するのを防止すると共に、前記剛性体の揺動を減衰させることを特徴とする。
【発明の効果】
【００１４】  請求項１記載の発明は、剛性体の底部側部と基礎の側部との間に配設されているダンパーにより剛性体の揺動が減衰される。このため、木造建築物において最も剛性が高い基礎によって剛性体の揺動を受け止めることができる。従って、建築物自体の高い剛性を確保できない在来の軸組構造やツーバイフォー等による木造建築物にも制振構造物を適用することができる。また、剛性体の頂部は、剛性体の揺動の節に相当するため、当該頂部に加わる水平加重が少ない。また、剛性体は、その底部に設けられている可動支承により支持されているため、剛性体の垂直加重が木造建築物の木造構造物に直接加わらない。従って、木造建築物の構造の強化を最小限度のものにすることができる。さらに、剛性体の内部は収容空間となっているため、この収容空間に収容物を収納することにより、制振構造物として必要となる質量を剛性体の質量に加えて被収容物の質量によって確保することができる。従って、従来の制振装置が備えていた錘等を必要とせず、簡単な構造でかつ低コストで大きな制振効果を得ることができる。また、剛性体の内部を収容空間とすることにより、木造建築物に設けた制振構造物専用のスペースを有効に活用することができ、実質的に木造建築物に占める制振構造物専用の設置スペースを非常に小さいものにすることができる。【００１５】  請求項２記載の発明は、剛性体が木造建築物の基礎から屋根まで延びる壁で囲まれた空間内に設置されている。この空間の壁により木造建築物の木造構造物部分が強化されると共に、地震により揺動する剛性体が木造建築物の木造構造物部分へ接触することが防止できる。【００１６】  請求項３記載の発明は、剛性体の頂部に球座を有するジョイント部が設けられているため、剛性体が木造建築物の頂部を支点として全方向に円滑に揺動することができる。従って、地震の様々な振動方向に対して適切な剛性体の揺動方向を確保することができ、制振性能を向上させることができる。【００１７】  請求項４記載の発明は、剛性体の内部に１以上の補強板を設けることにより、剛性体が補強されると共に、剛性体の収容空間内に複数の収納スペースが形成される。このため、剛性体の収容空間内に収納物を効率的に収容することが可能となり、この収容物により剛性体全体の重量を十分に確保することができる。また、剛性体に扉が設けられることにより、地震により剛性体が揺動した際にも被収容物が剛性体の収容空間内から飛び出すことが防止される。【００１８】  請求項５記載の発明は、剛性体の収容空間内に回転式の複数の収納ラックを設けることにより、収容効率を高めることができ、また、複数階の各階において全ての収納ラックから被収容物を取り出すことができる。【００１９】  請求項６記載の発明は、剛性体の頂部が木造構造物の最上階の床にも固定されているため、制振性能を向上させることができる。【００２０】  請求項７記載の発明は、複数の剛性体が各階毎に設けられており、各剛性体は上階の床に支持され、その底部には各階の床側の側壁との間に設けたダンパーと、各階の床との間に設けた可動支承とが設けられている。これにより剛性体を分割して設けることができる。
【発明を実施するための最良の形態】
【００２１】  以下、本発明の第１実施形態について、図１乃至図３を参照しつつ、詳細に説明する。本実施形態の木造建築物は、基礎４と基礎４の上部に設けられた３階建ての木造構造物を有し、ツーバイフォー工法によって建築された木造建築物である。木造構造物の平面は長方形であり、剛性体１は、図１に示す縦断面図において、木造建築物の中央に位置するように設置してある。なお、平面視した場合、図２の平面図に示すように、間取りの関係から木造建築物の中央よりずれた位置に設置してある。剛性体１は、木造建築物の基礎４から屋根まで延びる壁１２で囲まれた正方形の水平断面形状を有する空間内に設置されている。【００２２】  剛性体１は、その内部を収容空間とするために鋼板を溶接して箱体としたものであり、間隔を隔てて複数の補強板１０が水平に配設されている。この補強板１０により、剛性体１を補強すると共に剛性体１の収容空間の仕切りとして機能し、剛性体１内部に複数のスペースを形成する（図１参照）。また、剛性体１には扉が設けられており、剛性体１の内部の収納空間に収納物を収納することができる。なお、本実施形態において、剛性体１の水平断面形状は矩形であるが、その形状は問わず、例えば、断面円形の鋼管などを使用してもよい。【００２３】  剛性体１の頂部１１は、木造構造物の小屋部にボルトで固定されている。一方、剛性体１の底部には可動支承である滑り支承２が配設されており、剛性体１の底部は、基礎４の上面にこの滑り支承２を介して、フリーな状態になるように、揺動可能に支持されている。剛性体１は、図３に示すように頂部１１を支点として、木造構造物に対して揺動可能である。なお、本実施形態においては、頂部１１の固定手段としてボルトを用いているが、剛性体１の頂部１１の中心位置に鋳鋼製の球座を有するジョイント部を設けることもできる。剛性体１は、このジョイント部により木造構造物に対して全方向に揺動可能に支持されることになる。【００２４】  剛性体１の揺動を減衰させるため、ダンパー３が剛性体１の底部の側部と基礎４の側部との間に配設されている。基礎４の側部とは、図１に示すように、剛性体１の底部の側部と対向する基礎４の立ち上げ部分の側部であり、この基礎４の立ち上げ部分は、上記壁１２の直下に位置している。ダンパー３は油圧シリンダーの構造を有し、地震時に剛性体１の揺動を抑制し、木造構造物の揺動を効果的に減衰させる。なお、ダンパー３は、剛性体１の底部だけでなく、剛性体１の高さ方向に複数設置することもできる。この場合、剛性体１と、剛性体１が設置されている空間を区画する壁１２との間にダンパー３を複数設け、地震時における耐性体１の揺動を複数のダンパー３で抑制して減衰させる。【００２５】  以下、本実施形態の作用効果を説明する。図３に示すように、地震時には、剛性体１の底部が滑り支承２を介して基礎４の上面に揺動可能に支持されているため、剛性体１の頂部１１を支点として振り子のように木造構造物の固有揺動周期とは異なる周期で揺動し、木造構造物の揺動を抑制することができる。即ち、剛性体１の頂部１１が木造構造物の構造部材に支持されており、剛性体１が揺動するように、剛性体１の底部は滑り支承２によってフリーな��態で移動可能となっている。このため、木造構造物と剛性体１の固有揺動周期を異ならせることにより、木造構造物に作用する地震力を減衰させることができる。【００２６】  地震力が木造建築物に作用して木造構造物が揺動すると、剛性体１もそれに伴って揺動を開始するが、剛性体１は木造構造物と異なる固有揺動周期を有しており、また、剛性体１の底部は、滑り支承２によりフリーな状態で基礎４の上面に支持されているため、木造構造物の揺動とは同調しない。そして、剛性体１は木造構造物の揺動方向とは逆方向に揺動し、結果的に木造構造物の揺動を抑制する。このため地震動に対して木造建築物の安全性が確保される。【００２７】  剛性体１は、鋼やコンクリート充填鋼管構造（ＣＦＴ）などの剛性が大きく、ある程度の重量を有するものであることが好ましい。一方、剛性体１を比較的軽量な木製とすることも可能である。これは、剛性体１の内部が収納空間となっているため、剛性体１の質量と被収納物の質量により制振効果を発揮できるからである。また、剛性体１の木造建築物の平面視における設置位置は、木造建築物の幾何学的重心に配設するのが好ましい。しかし、このような設置場所に限定されるものでなく、木造建築物の設計プランや構造型式に応じて最適な位置に設置することも可能である。【００２８】  また、剛性体１は、基本的に基礎４または１階の床面から建物の頂部までの高さを有するものであるが、地下階がある場合は剛性体１を地下階にまで延ばしてもよく、また、地上面の床面までとしてもよい。さらに、建物の頂部から途中の階の床面までの長さとすることも可能である。この場合、剛性体１の固有揺動周期や重量及び木造構造物の固有揺動周期を考慮して剛性体１の長さを設定する。【００２９】  剛性体１を基礎４の上面または床面に設けた滑り支承やローラ支承の可動支承で支持することによって、剛性体１の底部をフリーとする。剛性体１の揺動幅が大きくなって剛性体１が建物本体に衝突するのを防止することができ、また、その揺動を速やかに減衰させるためにダンパー３が配設されている。なお、ダンパー３の代わりに移動拘束体を設置することも可能である。【００３０】  以下、本発明に係る第２実施形態について、図４を参照しつつ説明する。本実施形態は、上記第１実施形態と同様に、３階建ての木造建築物に用いる制振構造物である。上記第１実施形態と同様に、１階から３階までを貫通して連続する剛性体１の頂部１１は、小屋部に固定してあるが、剛性体１は、３階の床１３にも固定してある。このため、３階の制振性能を向上させることができる。【００３１】  以下、本発明に係る第３実施形態について、図５を参照しつつ説明する。本実施形態の剛性体１は、上記第１及び第２実施形態と異なり、１階から３階まで連続したものでなく、各階毎に独立した複数の剛性体１から構成されている。３階部分の剛性体１の頂部１１は小屋部に固定してあり、その剛性体１の底部は３階の床に滑り支承２を介して支持され、またこの剛性体１の底部と３階の床側の壁面との間にダンパー３が配設されている。２階部分の剛性体１の底部は２階の床に固定してあり、その剛性体１の頂部はフリーな状態になっており、その剛性体１の頂部と２階の天��側の壁面との間にはダンパー３が配設されている。１階部分の剛性体１は、基礎４の上面に滑り支承２を介して揺動可能に支持され、その剛性体１の頂部は２階の床に固定されている。【００３２】  以下、本発明に係る第４実施形態について、図６を参照しつつ説明する。本実施形態は、上記第３実施形態と同様に、剛性体１を基礎４から木造構造物の屋根まで連続させず、各階毎に独立した複数の剛性体１を設けたものである。３階部分の剛性体１の頂部は小屋部に、２階部分の剛性体１は３階の床に、１階部分の剛性体１は２階の床に固定されている。また、各剛性体１の底部は滑り支承２を介して揺動可能に各階の床に支持されており、各剛性体１の底部と各階の床側の壁面との間にはダンパー３が配設されている。【００３３】  以下、本発明に係る第５実施形態について、図７を参照しつつ説明する。本実施形態剛性体１は、その内部の収容空間に回転式の収納ラック５を有し、チェーン駆動によって収納容器が上下に移動するものである。このため、木造構造物のどの階においても、全ての被収納物を必要に応じて取り出すことが可能である。
【図面の簡単な説明】
【００３４】
【図１】本発明の第１実施形態に係る木造建築物に用いる制振構造物を示す縦断面図である。
【図２】図１に示す木造建築物に用いる制振構造物の配置を示す各階の平面図である。
【図３】図１に示す木造建築物に用いる制振構造物であって、地震時における剛性体１の揺動状態を示す縦断面図である。
【図４】本発明の第２実施形態に係る木造建築物に用いる制振構造物を示す縦断面図である。
【図５】本発明の第３実施形態に係る木造建築物に用いる制振構造物を示す縦断面図である。
【図６】本発明の第４実施形態に係る木造建築物に用いる制振構造物を示す縦断面図である。
【図７】本発明の第５実施形態に係る木造建築物に用いる制振構造物を示す縦断面図である。
【符号の説明】
【００３５】１    剛性体
１０  補強板
１１  頂部
２    支承
３    ダンパー
４    基礎
５    回転式収納ラック
【図１】
2006177150.tif 000003
【図２】
2006177150.tif 000004
【図３】
2006177150.tif 000005
【図４】
2006177150.tif 000006
【図５】
2006177150.tif 000007
【図６】
2006177150.tif 000008
【図７】
2006177150.tif 000009